(57)【要約】【課題】台詞を聞き取りやすい音声とするときにも、聴力テストやイコライズ特性の設定を不要にする。【解決手段】スペクトラム検出手段５は、複数の周波数帯域のそれぞれについて、左チャンネル音声信号の信号レベルと右チャンネル音声信号の信号レベルとの差分を検出し、イコライズ手段２は、検出された差分が小さい周波数帯域の増幅率を増大させ、検出された差分が大きい周波数帯域の増幅率を減少させる。【選択図】  図１
2007158873.tif 000002
【特許請求の範囲】
【請求項１】
音声信号について、複数の周波数帯域のそれぞれにおける信号レベルを検出するスペクトラム検出手段と、
前記複数の周波数帯域のそれぞれにおける増幅率を、スペクトラム検出手段の検出結果に対応した値に設定するイコライズ手段とを備えた音声補正装置において、
前記複数の周波数帯域の全ては人の声の主要スペクトラム成分が含まれる周波数帯域に設けられ、
スペクトラム検出手段は、前記複数の周波数帯域のそれぞれについて、左チャンネル音声信号の信号レベルと右チャンネル音声信号の信号レベルとの差分を検出し、
イコライズ手段は、検出された差分が小さい周波数帯域の増幅率を増大させるとともに検出された差分が大きい周波数帯域の増幅率を減少させ、且つ、前記複数の周波数帯域のそれぞれにおける増幅率を増加も減少もさせないときの周波数特性を、加齢による聴力の低下が少ない周波数帯域の増幅率が大きい特性としたことを特徴とする音声補正装置。
【請求項２】
音声信号について、複数の周波数帯域のそれぞれにおける信号レベルを検出するスペクトラム検出手段と、
前記複数の周波数帯域のそれぞれにおける増幅率を、スペクトラム検出手段の検出結果に対応した値に設定するイコライズ手段とを備えた音声補正装置において、
スペクトラム検出手段は、前記複数の周波数帯域のそれぞれについて、左チャンネル音声信号の信号レベルと右チャンネル音声信号の信号レベルとの差分を検出し、
イコライズ手段は、検出された差分が小さい周波数帯域の増幅率を増大させ、検出された差分が大きい周波数帯域の増幅率を減少させることを特徴とする音声補正装置。
【請求項３】
前記複数の周波数帯域の全ては人の声の主要スペクトラム成分が含まれる周波数帯域に設けられていることを特徴とする請求項２に記載の音声補正装置。
【発明の詳細な説明】
【技術分野】
【０００１】
本発明は、音声信号の経路にイコライズ手段を設けた音声補正装置に係り、より詳細には、音声信号のスペクトラムに従ってイコライズ特性を変化させることにより、聴力の低下したユーザにも台詞を聞き取りやすくする音声補正装置に関する。
【背景技術】
【０００２】
高年齢のユーザがテレビ放送のドラマを見ていたり、ＤＶＤの洋画を再生しているとき、音量を驚くほどに大きくしていることがある。これは、ドラマや洋画では、台詞の背景で音楽などが鳴っていることが多く、聴力の低下の影響もあって、ドラマや洋画を楽しむ上で不可欠な台詞が聞き取りにくくなっているためである。このように、ユーザの聴力が低下するときには音量の増大を伴うことが多い。しかし、このような音量の増大は、回りの者にとっては、騒音として感じられることもあるので、台詞を聞き取りやすくするときにも、音量の増大を緩和可能な技術が提案されている。
【０００３】
すなわち、この技術（第１の従来技術とする）では、ディスクに記録される音声を、優先信号（主に台詞を含む信号）と残余オーディオ（主に背景となる音や音楽を含む信号）との２種の信号とし、再生装置の側の各信号の経路にイコライザを設けている。また、イコライザの特性をユーザによって設定可能にしている。従って、優先信号の経路に設けられたイコライザの特性を、台詞の明瞭度を高める周波数帯域（約２ＫＨｚとされている）のレベルを高めるように設定し、残余オーディオの経路に設けられたイコライザの特性を、２ＫＨｚの前後の周波数帯域のレベルを低めるように設定すると、台詞の聞き取り易さを高められることが開示されている（例えば、特許文献１参照）。
【０００４】
また、以下に示す技術が提案されている（第２の従来技術とする）。すなわち、この技術では、音声信号の帯域を複数の帯域に分割するフィルタを設けている。また、各帯域毎にゲイン可変アンプを設けている。また、帯域のそれぞれにおけるユーザの聴力を検出する手段を備えている。そして、ユーザの聴力の検出結果に基づき、聴力が低下した帯域のゲイン可変アンプのゲインを高めている。このため、聴力特性が劣化したユーザが、再生用スピーカから離れている場合に、全体の音量をさほど大きくしなくても、音声の明瞭度を高めることができる、と開示されている（例えば、特許文献２参照）。
【特許文献１】特開２００３−５２４９０６号公報（第００９５−００９８段落、図１０）
【特許文献２】特開平１１−１０３２２６号公報
【発明の開示】
【発明が解決しようとする課題】
【０００５】
しかしながら、第１の従来技術を用いる場合には、以下に示す問題を生じていた。すなわち、優先信号（主に台詞を含む信号）の経路に設けられるイコライザの周波数特性の設定は、ユーザが行うようになっている。一方、台詞が聞こえにくい、といった問題は、主に、高年齢のユーザの場合に生じる。従って、ユーザにとっては、イコライザの設定は極めて難しい操作となるので、設定が最適化されるようなことは少なく、最適な特性からずれたままの状態で使用されることになる。つまり、台詞が聞き取りにくい設定となるので、音量が増大するという事態を招くことが多い。
【０００６】
第２の従来技術は、帯域のそれぞれにおける聴力を検出するための手段を用いて、聴力特性を検出する必要がある。しかし、この操作は、高年齢のユーザにとっては、煩わしい操作となるため、聴力特性の検出が行われない、あるいは、聴力特性の検出の精度がよくないものになりやすい。ものになる。その結果、ゲイン可変アンプのゲイン設定が、聴力特性に対応しない設定となることが多く、台詞が聞き取りにくい状態となるので、音量が増大する事態を招くことになる。
【０００７】
本発明は、上記の問題点を解決するため創案されたものであり、その目的は、台詞を聞き取りやすい音声とするときにも、イコライズ特性の設定や聴力テストを不要とすることのでき、且つ、スペクトラムの検出やイコライズを行うハードウエア（デジタルシグナルプロセッサ）に要求される性能を低いレベルに抑制することのでき、且つ、台詞の聞き取りやすさを、より好適に生じさせることのできる音声補正装置を提供することにある。
【０００８】
また本発明の目的は、音声信号の経路に設けられたイコライズ手段のイコライズ特性を、左右の音声信号のスペクトラムの差分に従って変化させることにより、台詞を聞き取りやすい音声とするときにも、イコライズ特性の設定や聴力テストを不要とすることのできる音声補正装置を提供することにある。
【０００９】
また、上記目的に加え、スペクトラムの検出対象となる周波数帯域の全てを、人の声の主要スペクトラム成分が含まれる周波数帯域に限定することによって、スペクトラムの検出対象となる帯域数を少なくすることにより、スペクトラムの検出やイコライズを行うハードウエア（デジタルシグナルプロセッサ）に要求される性能を低いレベルに抑制することのできる音声補正装置を提供することにある。
【課題を解決するための手段】
【００１０】
上記の課題を解決するため、本発明に係る音声補正装置は、音声信号について、複数の周波数帯域のそれぞれにおける信号レベルを検出するスペクトラム検出手段と、前記複数の周波数帯域のそれぞれにおける増幅率を、スペクトラム検出手段の検出結果に対応した値に設定するイコライズ手段とを備えた音声補正装置に適用している。そして、前記複数の周波数帯域の全ては人の声の主要スペクトラム成分が含まれる周波数帯域に設けられ、スペクトラム検出手段は、前記複数の周波数帯域のそれぞれについて、左チャンネル音声信号の信号レベルと右チャンネル音声信号の信号レベルとの差分を検出し、イコライズ手段は、検出された差分が小さい周波数帯域の増幅率を増大させるとともに検出された差分が大きい周波数帯域の増幅率を減少させ、且つ、前記複数の周波数帯域のそれぞれにおける増幅率を増加も減少もさせないときの周波数特性を、加齢による聴力の低下が少ない周波数帯域の増幅率が大きい特性としている。
【００１１】
すなわち、台詞は、多くの場合において、音声の位置が左右の中央に定位する。従って、台詞については、左音声信号のスペクトラム成分と右音声信号のスペクトラム成分とが同一となる。一方、背景となる音については、左音声信号のスペクトラム成分と右音声信号のスペクトラム成分とに差異が生じる。従って、ある周波数帯域における左音声信号の信号レベルと右音声信号における信号レベルとの差分が微小となる場合、その周波数帯域の音は、台詞を示す音声である確率が極めて高い。また、前記差分が大きくなるときでは、その周波数帯域の音は、背景音である確率が極めて高い。従って、差分が小さい周波数帯域の増幅率を増大させ、差分が大きい周波数帯域の増幅率を減少させるときでは、台詞の周波数帯域の増幅率が高くなり、背景音の周波数帯域の増幅率が低くなる。つまり、台詞の音量が増し、背景音の音量が減少する。また、人の声の主要スペクトラム成分が含まれる周波数帯域は、音声信号の帯域に比すると狭い。従って、スペクトラムの検出対象となる周波数帯域のそれぞれを、例えば１オクターブの帯域とするときでも、スペクトラムの検出対象となる帯域数を少なくすることができる。また、加齢による聴力の低下があるときでも、聞こえ易い周波数帯域の音声のみが出力される。
【００１２】
また本発明に係る音声補正装置は、音声信号について、複数の周波数帯域のそれぞれにおける信号レベルを検出するスペクトラム検出手段と、前記複数の周波数帯域のそれぞれにおける増幅率を、スペクトラム検出手段の検出結果に対応した値に設定するイコライズ手段とを備えた音声補正装置に適用している。そして、スペクトラム検出手段は、複数の周波数帯域のそれぞれについて、左チャンネル音声信号の信号レベルと右チャンネル音声信号の信号レベルとの差分を検出し、イコライズ手段は、検出された差分が小さい周波数帯域の増幅率を増大させ、検出された差分が大きい周波数帯域の増幅率を減少させるようになっている。
【００１３】
すなわち、台詞は、多くの場合において、音声の位置が左右の中央に定位する。従って、台詞については、左音声信号のスペクトラム成分と右音声信号のスペクトラム成分とが同一となる。一方、背景となる音については、左音声信号のスペクトラム成分と右音声信号のスペクトラム成分とに差異が生じる。従って、ある周波数帯域における左音声信号の信号レベルと右音声信号における信号レベルとの差分が微小となる場合、その周波数帯域の音は、台詞を示す音声である確率が極めて高い。また、前記差分が大きくなるときでは、その周波数帯域の音は、背景音である確率が極めて高い。従って、前記差分が小さい周波数帯域の増幅率を増大させ、前記差分が大きい周波数帯域の増幅率を減少させるときでは、台詞の周波数帯域の増幅率が高くなり、背景音の周波数帯域の増幅率が低くなる。つまり、台詞の音量が増し、背景音の音量が減少する。
【００１４】
また、上記構成に加え、前記複数の周波数帯域の全ては人の声の主要スペクトラム成分が含まれる周波数帯域に設けられている。すなわち、人の声の主要スペクトラム成分が含まれる周波数帯域は、音声信号の帯域に比すると狭い帯域となっている。従って、スペクトラムの検出対象となる周波数帯域のそれぞれを、例えば１オクターブの帯域とするときでも、スペクトラムの検出対象となる帯域数を少なくすることができる。
【発明の効果】
【００１５】
本発明によれば、ある周波数帯域における左音声信号の信号レベルと右音声信号における信号レベルとの差分が微小となる場合、その周波数帯域の音は、台詞を示す音声である確率が極めて高いとして、増幅率が増大される。また、前記差分が大きくなるときでは、その周波数帯域の音は、背景音である確率が極めて高いとして、増幅率が減少される。従って、台詞の周波数帯域の増幅率が高くなり、背景音の周波数帯域の増幅率が低くなって、台詞の音量が増大し、背景音の音量が減少する。また、スペクトラムの検出対象となる周波数帯域のそれぞれを、例えば１オクターブの帯域とするときでも、スペクトラムの検出対象となる帯域数を少なくすることができる。また、加齢による聴力の低下があるときでも、聞こえ易い周波数帯域の音声のみが出力される。このため、台詞を聞き取りやすい音声とするときにも、イコライズ特性の設定や聴力テストを不要とすることができ、且つ、スペクトラムの検出やイコライズを行うハードウエア（デジタルシグナルプロセッサ）に要求される性能を低いレベルに抑制することができ、且つ、台詞の聞き取りやすさを、より好適に生じさせることができる。
【００１６】
また本発明によれば、ある周波数帯域における左音声信号の信号レベルと右音声信号における信号レベルとの差分が微小となる場合、その周波数帯域の音は、台詞を示す音声である確率が極めて高いとして、増幅率が増大される。また、前記差分が大きくなるときでは、その周波数帯域の音は、背景音である確率が極めて高いとして、増幅率が減少される。従って、台詞の周波数帯域の増幅率が高くなり、背景音の周波数帯域の増幅率が低くなって、台詞の音量が増大し、背景音の音量が減少する。このため、台詞を聞き取りやすい音声とするときにも、イコライズ特性の設定や聴力テストを不要とすることができる。
【００１７】
また、さらに、スペクトラムの検出対象となる周波数帯域のそれぞれを、例えば、１オクターブの帯域とするときでも、スペクトラムの検出対象となる帯域数を少なくすることができるので、スペクトラムの検出やイコライズを行うハードウエア（デジタルシグナルプロセッサ）に要求される性能を低いレベルに抑制することができる。
【発明を実施するための最良の形態】
【００１８】
以下、本発明の実施の形態について図を参照して説明する。
【００１９】
図１は、本発明に係る音声補正装置の一実施形態を備えたＤＶＤプレイヤの電気的構成を示すブロック線図である。
【００２０】
図において、ディスク再生手段１は、ＤＶＤ１８に記録された映像音声情報を再生するブロックとなっており、再生して得られたアナログ映像信号２２をテレビ受像機１５に出力する。また、再生して得られた左音声信号（デジタル音声信号）２１Ｌをイコライザ３Ｌとスイッチ４Ｌのｂ接点とスペクトラム検出手段５とに出力し、再生して得られた右音声信号（デジタル音声信号）２１Ｒをイコライザ３Ｒとスイッチ４Ｒのｂ接点とスペクトラム検出手段５とに出力する。
【００２１】
スペクトラム検出手段５は、音声信号について、複数の周波数帯域のそれぞれにおける信号レベルを検出する。なお、複数の周波数帯域の全ては、人の声の主要スペクトラム成分が含まれる周波数帯域に設けられている。
【００２２】
すなわち、スペクトラム検出手段５は、左音声信号２１Ｌと右音声信号２１Ｒとのそれぞれについて、３５０Ｈｚ、７００Ｈｚ、１．４ＫＨｚ、２．８ＫＨｚの各周波数の近傍帯域（２５０Ｈｚ〜５００Ｈｚ、５００Ｈｚ〜１ＫＨｚ、１ＫＨｚ〜２ＫＨｚ、２ＫＨｚ〜４ＫＨｚの各帯域）の信号レベルを検出する。そして、各周波数帯域毎に、左音声信号２１Ｌの信号レベルと右音声信号２１Ｒの信号レベルとの差分を検出する。次いで、検出した差分に対して所定の演算（後に詳述する）を行い、演算して得られた値（請求項記載の検出結果）をイコライザ３Ｌ，３Ｒに送出する。
【００２３】
イコライズ手段２は、複数の周波数帯域（スペクトラム検出手段５により信号レベルが検出される周波数帯域）のそれぞれにおける左音声信号２１Ｌの増幅率と右音声信号２１Ｒの増幅率とを、スペクトラム検出手段５の検出結果に対応した値に設定する。このため、左音声信号２１Ｌのためのイコライザ３Ｌと、右音声信号２１Ｒのためのイコライザ３Ｒとを備えている。
【００２４】
詳細には、イコライザ３Ｌは、左音声信号２１Ｌにおける３５０Ｈｚ、７００Ｈｚ、１．４ＫＨｚ、２．８ＫＨｚを中心周波数とする周波数帯域のそれぞれの増幅率について、検出された差分が小さい周波数帯域の増幅率を増大させ、検出された差分が大きい周波数帯域の増幅率を減少させる（後に詳述する）。また、イコライザ３Ｒは、右音声信号２１Ｒにおける３５０Ｈｚ、７００Ｈｚ、１．４ＫＨｚ、２．８ＫＨｚを中心周波数とする周波数帯域のそれぞれの増幅率について、検出された差分が小さい周波数帯域の増幅率を増大させ、検出された差分が大きい周波数帯域の増幅率を減少させる（後に詳述する）。
【００２５】
また、イコライザ３Ｌ，３Ｒの基本的な周波数特性（複数の周波数帯域のそれぞれにおける増幅率を増大も減少もさせないときの周波数特性）は、加齢による聴力の低下が少ない周波数帯域の増幅率が大きいバンドパス特性となっている。なお、このバンドパス特性は、加齢による聴力の低下に関する一般的な資料に基づく特性となっていて、図２（Ａ）に示したように、約１．２ＫＨｚを中心周波数とし、約３００Ｈｚから１００Ｈｚに向かって急激に増幅率が低下し、３ＫＨｚから１０ＫＨｚに向かって急激に増幅率が低下する特性となっている。
【００２６】
スイッチ４Ｌは、イコライザ３Ｌに入力される左音声信号２１Ｌと、イコライザ３Ｌから出力される左音声信号とを切り換えてＤ／Ａ変換部６Ｌに出力する。スイッチ４Ｒは、イコライザ３Ｒに入力される右音声信号２１Ｒと、イコライザ３Ｒから出力される右音声信号とを切り換えてＤ／Ａ変換部６Ｒに出力する。Ｄ／Ａ変換部６Ｌは、スイッチ４Ｌから出力される左音声信号をアナログ音声信号に変換し、テレビ受像機１５に出力する。また、Ｄ／Ａ変換部６Ｒは、スイッチ４Ｒから出力される右音声信号をアナログ音声信号に変換し、テレビ受像機１５に出力する。
【００２７】
なお、上記したイコライザ３Ｌ，３Ｒ、スイッチ４Ｌ，４Ｒ、および、スペクトラム検出手段５は、デジタルシグナルプロセッサ７により構成されている。従って、イコライザ３Ｌ，３Ｒのイコライズ特性は、入力される左音声信号２１Ｌと右音声信号２１Ｒとのスペクトラムに対応して、リアルタイムで変化する。
【００２８】
入力回路部９は、装置本体の前面パネル（図示を省略）に設けられた電源キー等のキースイッチや、リモコン１０から送信される赤外線信号を受光する受光ユニット等を備えており、ユーザからの指示が入力される。そして、入力された指示を主制御手段８に出力する。
【００２９】
主制御手段８は、マイクロコンピュータを主要部として構成され、ＤＶＤプレイヤとしての主要動作を制御する。すなわち、例えば、リモコン１０等に再生の指示が入力されたときには、ディスク再生手段１に再生動作を行わせることによって、ＤＶＤ１８に記録された映像音声情報を再生し、テレビ受像機１５に表示する。
【００３０】
また、テレビ受像機１５に出力される音声信号の周波数特性を補正することによって、高齢者にも台詞を聞き取りやすくするモードである補正モードと、周波数特性を補正しない通常モードとのうち、補正モードとなるときには、スイッチ４Ｌ，４Ｒのそれぞれのｃ接点をａ接点に接続する。また、通常モードとなるときには、スイッチ４Ｌ，４Ｒのそれぞれのｃ接点をｂ接点に接続する。
【００３１】
なお、補正モードと通常モードとの切り換えは、初期設定における設定項目として設けられており、リモコン１０を用いて、どちらのモードを用いるのかを指示する。
【００３２】
以下に補足的な説明を行う。複数の周波数帯域のそれぞれの増幅率を増大させたり減少させたりするときの量を示す増減値Ｋは、周波数帯域のそれぞれにおいて、左音声信号２１Ｌの信号レベルをＳＬ、右音声信号２１Ｒの信号レベルをＳＲとし、ＳＬとＳＲとの差分（差異の絶対値）をＤとすると、
Ｋ＝Ｎ×（Ｍ−Ｄ）×（ＳＬ＋ＳＲ）
として示される値となっている。但し、値Ｎは増幅率の変化の割合を設定する係数となっている。また、値Ｍは、増幅率を増加も減少もさせないときの差分を示す定数となっている。従って、差分が値Ｍより小さいときでは増幅率は増大し、差分が値Ｍより大きいときでは増幅率は減少する。
【００３３】
なお、上記計算式（以下では、第一式と称する）において、Ｎ×（Ｍ−Ｄ）として示される値に、左音声信号２１Ｌの信号レベルと右音声信号２１Ｒの信号レベルとの加算値（ＳＬ＋ＳＲ）を乗じている理由は、加算値を乗じないときでは、左音声信号２１Ｌの信号レベルと右音声信号２１Ｒの信号レベルとの双方が微小となった場合（例えば、無音あるいは無音に近似した状態となった場合、等）、複数の周波数帯域の全てにおける差分が微小となって、複数の周波数帯域の全ての増幅率に不要な増大が生じるので、この不要な増大を防止するためである。
【００３４】
また、さらに、左右２チャンネルの音声信号における台詞の部分と、背景音との性質の違いについて説明すると、台詞は、多くの場合、音声の位置が左右の中央に定位する。従って、台詞の部分については、左音声信号２１Ｌのスペクトラム成分と、右音声信号２１Ｒのスペクトラム成分とが同一となる。
【００３５】
一方、背景となる音については、例えば、車が画面の左方から右方に走り抜ける場合、左音声信号２１Ｌにおける信号レベルが強い状態から、右音声信号２１Ｒにおける信号レベルが強い状態に変化する。また、音楽が背景音となる場合では、ある楽器（例えば、ドラム）は左音声信号２１Ｌにおける信号レベルが強く、別の楽器（例えば、トランペット）は右音声信号２１Ｒにおける信号レベルが強いといった性質がある。つまり、背景音の場合には、左音声信号２１Ｌのスペクトラム成分と右音声信号２１Ｒのスペクトラム成分とに比較的大きな差異が生じる。
【００３６】
以上のことは、ある周波数帯域における左音声信号２１Ｌの信号レベルと右音声信号２１Ｒにおける信号レベルとが近似したレベルとなる場合、その周波数帯域の音は、台詞を示す音声である確率が極めて高いことを意味する。また、ある周波数帯域における左音声信号２１Ｌの信号レベルと右音声信号２１Ｒにおける信号レベルとの差分が大きくなるときでは、その周波数帯域の音は、台詞ではなく、背景音である確率が極めて高いことを意味する。
【００３７】
従って、左音声信号２１Ｌの信号レベルと右音声信号２１Ｒの信号レベルとの差分が小さい周波数帯域の増幅率を増大させ、前記差分が大きい周波数帯域の増幅率を減少させるときでは、台詞の周波数帯域の増幅率が高くなり、背景音の周波数帯域の増幅率が低くなる。このため、台詞の音量が増し、背景音の音量が減少するので、全体の音量を強めなくても、台詞の聞き取りやすさは増すことになる。
【００３８】
図２、図３は、音声信号のスペクトラムとイコライズ特性との関係を示す説明図である。必要に応じて同図を参照しつつ、実施形態の動作について説明する。なお、以下における説明では、３５０Ｈｚを中心とする周波数帯域を帯域Ａ、７００Ｈｚを中心とする周波数帯域を帯域Ｂ、１．４ＫＨｚを中心とする周波数帯域を帯域Ｃ、２．８ＫＨｚを中心とする周波数帯域を帯域Ｄと称する。
【００３９】
いま、補正モードに設定されているとする。このときでは、主制御手段８は、スイッチ４Ｌ，４Ｒのそれぞれのｃ接点をａ接点に接続する。従って、左音声信号２１Ｌはイコライザ３Ｌを介してＤ／Ａ変換部６Ｌに導かれ、右音声信号２１Ｒはイコライザ３Ｒを介してＤ／Ａ変換部６Ｒに導かれる。また、スペクトラム検出手段５は、４つの帯域Ａ〜Ｄのそれぞれについて、左音声信号２１Ｌの信号レベルと右音声信号２１Ｒの信号レベルとの差分を検出する。そして、検出した差分を第一式に適用して求めた増減値Ｋをイコライザ３Ｌ，３Ｒに出力する。イコライザ３Ｌ，３Ｒは、帯域Ａ〜Ｄのそれぞれの増幅率を、増減値Ｋに基づいて、増大あるいは減少させる。
【００４０】
図２（Ｂ）は、ＤＶＤ１８に記録されたドラマを再生しているときの、ある時刻における左音声信号２１Ｌのスペクトラム２１１Ｌと、右音声信号２１Ｒのスペクトラム２１１Ｒとを示している。このときでは、帯域Ａにおける差分が小さく、帯域Ｃや帯域Ｄにおける差分が大きくなっている。このような場合、帯域Ａの音は台詞を示す音声であり、帯域Ｃや帯域Ｄの音は、背景音であると見なすことができる。
【００４１】
このため、イコライザ３Ｌ，３Ｒのイコライズ特性は、図２（Ｃ）の３１１に示したように、帯域Ａの増幅率を増大させ、帯域Ｃと帯域Ｄとの増幅率を減少させるように設定される。つまり、台詞のスペクトラム成分が含まれる周波数帯域の信号レベルが大きくなり、背景音のスペクトラム成分が含まれる周波数帯域の信号レベルが小さくなるように設定される。その結果、台詞の音量は増大され、背景音の音量は減少されてテレビ受像機１５から出力される。従って、全体の音量を大きくしなくても、台詞は聞き取りやすい音声となる。
【００４２】
また、図３（Ａ）は、ＤＶＤ１８に記録されたドラマを再生しているときの、別の時刻における左音声信号２１Ｌのスペクトラム２１２Ｌと、右音声信号２１Ｒのスペクトラム２１２Ｒとを示している。このときでは、帯域Ｂと帯域Ｃにおける差分が小さく、帯域Ａと帯域Ｄにおける差分が大きくなっている。このような場合、帯域Ｂと帯域Ｃとの音は台詞を示す音声であり、帯域Ａや帯域Ｄの音は、背景音であると見なすことができる。
【００４３】
このため、イコライザ３Ｌ，３Ｒのイコライズ特性は、図３（Ｂ）の３１２に示したように、帯域Ｂと帯域Ｃとの増幅率を増大させ、帯域Ａと帯域Ｄとの増幅率を減少させるように設定される。つまり、台詞のスペクトラム成分が含まれる周波数帯域の信号レベルが大きくなり、背景音のスペクトラム成分が含まれる周波数帯域のレベルが小さくなるように設定される。その結果、台詞の音量は増大され、背景音の音量は減少されてテレビ受像機１５から出力される。従って、全体の音量を大きくしなくても、台詞は聞き取りやすい音声となる。
【００４４】
以上説明したように、イコライザ３Ｌ，３Ｒのイコライズ特性は、スペクトラム検出手段５の検出結果に従い、台詞が含まれる周波数帯域の増幅率が増大され、背景音が含まれる周波数帯域の増幅率が減少されるように変化する。また、加齢により生じた聴力低下の影響が少ない周波数帯域の音のみが増幅されるようになっている。従って、ユーザが高年齢のため、聴力に低下が生じている場合でも、比較的小さな音量において、台詞を明瞭に聞き取ることができる。つまり、深夜や早朝などように、音量を大きくすることがはばかられるような時刻においても、ドラマを充分に楽しむことができる。
【００４５】
なお、図２（Ｃ）の破線により示す特性曲線、および、図３（Ｂ）の破線により示す特性曲線は、図３（Ａ）に示す特性曲線と同一であり、帯域Ａ〜帯域Ｄのそれぞれの増幅率を増大も減少もさせないときの周波数特性を示している。このため、左音声信号２１Ｌと右音声信号２１Ｒとの双方の信号レベルが０近傍となるときでは、第一式より、増減値Ｋは０近傍となるので、このときのイコライザ３Ｌ，３Ｒの特性は、前記した破線により示す特性に一致することになる。
【００４６】
以上で、補正モードに設定したときの動作の説明を終了し、以下に、通常モードに設定した場合の動作を説明する。
【００４７】
通常モードに設定されたときでは、主制御手段８は、スイッチ４Ｌ，４Ｒのそれぞれのｃ接点をｂ接点に接続する。従って、左音声信号２１Ｌは、イコライザ３Ｌを介することなく、Ｄ／Ａ変換部６Ｌに導かれる。また、同様に、右音声信号２１Ｒは、イコライザ３Ｒを介することなく、Ｄ／Ａ変換部６Ｒに導かれる。つまり、ディスク再生手段１から出力された音声信号は、平坦な周波数特性を有する経路を介して、テレビ受像機１５に導かれることになる。
【００４８】
なお、本発明は上記実施形態に限定されず、複数の周波数帯域については、例えば、４つの周波数帯域とした場合について説明したが、その他の周波数帯域数（例えば、３つの周波数帯域、あるいは、５つの周波数帯域、等）とすることができる。
【００４９】
また、複数の周波数帯域のそれぞれの帯域周波数についても、人の声の主要スペクトラム成分が含まれる周波数範囲とする限りでは、その他の任意の周波数帯域とすることができる。
【００５０】
また、本発明をＤＶＤプレイヤに適用した場合について説明したが、映像信号と音声信号とを扱うその他の装置（その他の光ディスクの再生装置、ＨＤＤ記録再生装置、ビデオカセットレコーダ、あるいは、テレビ受像機等）の場合にも、同様に適用することができる。
【００５１】
また、検出した差分から増減値Ｋを求める計算式については、差分が小さいときには増幅率を増大させ、差分が大きいときには増幅率を減少させる結果が得られる限りでは、その他の計算式を用いることができる。
【図面の簡単な説明】
【００５２】
【図１】本発明に係る音声補正装置の一実施形態を適用したＤＶＤプレイヤの電気的構成を示すブロック線図である。
【図２】音声信号のスペクトラムとイコライズ特性との関係を示す説明図である。
【図３】音声信号のスペクトラムとイコライズ特性との関係を示す説明図である。
【符号の説明】
【００５３】
２  イコライズ手段
５  スペクトラム検出手段
７  デジタルシグナルプロセッサ
２１Ｌ  左音声信号
２１Ｒ  右音声信号
２１１Ｌ  左音声信号
２１１Ｒ  右音声信号
２１２Ｌ  左音声信号
２１２Ｒ  右音声信号
【図１】
2007158873.tif 000003
【図２】
2007158873.tif 000004
【図３】
2007158873.tif 000005